(57)【要約】【課題】微妙に異なる口径差異を有する容器に対して密閉性の高い封止が可能であって、脱着が容易な蓋体等を提供する。【解決手段】容器本体５の開口部２の外周縁６に着脱可能に取り付けられる蓋体１０であって、蓋体１０は、基体１１と、この基体１１の周縁に設けられる周壁１７と、を備え、周壁１７には、外周縁６と嵌合する内径の異なる２つの嵌合部位を備えている。【選択図】図２
2014069849.tif 000002
【特許請求の範囲】
【請求項１】
容器本体の開口部の外周縁に着脱可能に取り付けられる蓋体であって、
前記蓋体は、
基体と、前記基体の周縁に設けられる周壁と、を備え、
前記周壁には、
前記外周縁と嵌合する内径の異なる２つの嵌合部位を備えていることを特徴とする蓋体。
【請求項２】
前記嵌合部位は、前記開口部を封止する蓋材が取り付けられた容器本体の開口部の外周縁と嵌合する第１の嵌合部と、前記蓋材が取り外された容器本体の開口部の外周縁と嵌合する第２の嵌合部と、であることを特徴とする請求項１に記載の蓋体。
【請求項３】
前記周壁は、前記基体から垂下して形成され、
前記基体には、前記開口部に嵌入される嵌入体が設けられていることを特徴とする請求項１、又は２に記載の蓋体。
【請求項４】
前記周壁は、前記基体の表裏面の両側に垂設され、
前記第２の嵌合部が設けられている側の基体の表面には、前記開口部に嵌入される嵌入体が設けられていることを特徴とする請求項１、又は２に記載の蓋体。
【請求項５】
開口部を封止する蓋材が取り付けられた容器本体と、
容器本体の開口部の外周縁に着脱可能に取り付けられる蓋体と、を備える蓋付き容器であって、
前記蓋体は、
基体と、前記基体の周縁に設けられる周壁と、を備え、
前記周壁には、
前記外周縁と嵌合する内径の異なる２つの嵌合部位を備えていることを特徴とする蓋付き容器。
【発明の詳細な説明】
【技術分野】
【０００１】
本発明は、例えば粉体包装用容器に用いられる蓋体、蓋付き容器に関する。
【背景技術】
【０００２】
従来から、例えば、紙製の容器の開口部を着脱可能に覆う蓋が知られている（特許文献１参照）。特許文献１に示す蓋は、開口上部に配置される主体部と、その周縁に形成される周壁部と、を備え、この周壁部を容器の開口部周縁と係合させて容器本体に取り付ける。
【先行技術文献】
【特許文献】
【０００３】
【特許文献１】実開平１−１３４０４３号公報
【発明の概要】
【発明が解決しようとする課題】
【０００４】
一方、予め初期密封されたバリア性を有する容器を開封した後、当該容器のバリア性が保持できる蓋材が求められている。このようなバリア性を有する蓋材として、容器の開口部内周面とフランジ部の双方に嵌合させる蓋も知られているが、開封前の容器の開口部には密閉蓋がされているため、密閉蓋の表面と開口部内周面と嵌合するための嵌合部が接触して、開封前の容器には蓋を取り付けることができない。
【０００５】
また、上記特許文献１に示す蓋を適用する場合、容器のフランジ部と嵌合するものであるため、密閉性が低くなりやすく、且つ蓋が容易に外れる可能性がある。
【０００６】
そこで、本発明は、上記問題点に鑑みてなされたものであり、その目的の一例は、微妙に異なる口径差異を有する容器に対して密閉性の高い封止が可能であって、脱着が容易な蓋体、及び蓋付き容器を提供することである。
【課題を解決するための手段】
【０００７】
上記課題を解決するために、請求項１に記載の蓋体（１０）は、容器本体（５）の開口部（２）の外周縁（６）に着脱可能に取り付けられる蓋体であって、前記蓋体は、基体（１１）と、前記基体の周縁に設けられる周壁（１７）と、を備え、前記周壁には、前記外周縁と嵌合する内径の異なる２つの嵌合部位を備えていることを特徴とする。
【０００８】
また、請求項２に記載の蓋体は、請求項１に記載の蓋体において、前記嵌合部位は、前記開口部を封止する蓋材が取り付けられた容器本体の開口部の外周縁と嵌合する第１の嵌合部（２２）と、前記蓋材が取り外された容器本体の開口部の外周縁と嵌合する第２の嵌合部（２１）と、であることを特徴とする。
【０００９】
また、請求項３に記載の蓋体は、請求項１、又は２に記載の蓋体において、前記周壁（３２）は、前記基体から垂下して形成され、前記基体には、前記開口部に嵌入される嵌入体（３３）が設けられていることを特徴とする。
【００１０】
また、請求項４に記載の蓋体は、請求項１、又は２に記載の蓋体において、前記周壁（４２、４３）は、前記基体の表裏面の両側に垂設され、前記第２の嵌合部が設けられている側の基体の表面には、前記開口部に嵌入される嵌入体（４４）が設けられていることを特徴とする。
【００１１】
また、請求項５に記載の蓋付き容器は、開口部を封止する蓋材が取り付けられた容器本体と、容器本体の開口部の外周縁に着脱可能に取り付けられる蓋体と、を備える蓋付き容器であって、前記蓋体は、基体と、前記基体の周縁に設けられる周壁と、を備え、前記周壁には、前記外周縁と嵌合する内径の異なる２つの嵌合部位を備えていることを特徴とする。
【発明の効果】
【００１２】
外径の異なる開口部を有する容器に対して蓋を高い密着性を有して確実に取り付けることができる。
【図面の簡単な説明】
【００１３】
【図１】蓋付き容器の外観図である。
【図２】図１のＩ−Ｉ断面図を示し、図２（ａ）は蓋材が取り付けられた容器に本実施形態の蓋を取り付けた時の状態を示す模式図、図２（ｂ）は蓋材が取り外された容器に本実施形態の蓋を取り付けた時の状態を示す模式図である。
【図３】蓋の嵌合形態の他の実施形態を示し、図３（ａ）は蓋付き容器の外観図、図３（ｂ）は図３（ａ）のII−II断面を示す模式図である。
【図４】蓋の嵌合形態の他の実施形態を示し、図４（ａ）は蓋の平面図、図４（ｂ）は図４（ａ）のIII−III断面を示す模式図である。
【図５】開閉機構を有する蓋を示し、図５（ａ）は蓋付き容器の外観図、図５（ｂ）は蓋の平面図、図５（ｃ）は蓋板を開いた時の蓋の平面図である。
【発明を実施するための形態】
【００１４】
以下に、本願発明の最良の実施形態を添付図面に基づいて説明する。本実施形態の蓋１０（本願の蓋体）は、例えば食品容器に用いられ、落とし蓋（食品容器５の開口部２の内側に嵌入する部分を備える蓋）形態の蓋１０を一例として説明する。
【００１５】
まず、本実施形態の蓋１０が取り付けられる食品容器（以下、単に「容器５」と称する。）について説明する。
【００１６】
容器５は、有底円筒状のカップ状の容器であり、外観が円筒又は角筒など筒状の壁体５ａと、この壁体５ａの下端部開口を塞ぐ底体５ｂと、を備え、上端部に開口部２を有している。また、壁体５ａは、上方に向かって徐々に広がるテーパ状に形成されており、当該壁体５ａの上端部は、折り返されて形成されるリング状の肉厚部（フランジ部６）を有している。
【００１７】
この容器５の開口部２には、図２に示すように、紙製の蓋材７が前記フランジ部６に貼着されて開口部２が封止されており、当該蓋材７を開口部２から取り外すことにより、容器５内に収容されている内容物を外部に取り出すことが可能となっている。
【００１８】
この内容物としては、例えば、インスタントコーヒ、ココア、ふりかけ、調味料等の粉体が好適に用いられる。
【００１９】
次に、容器５に用いられる本実施形態の蓋１０について説明する。
【００２０】
本実施形態の蓋１０は、上述した容器５の開口部２に着脱可能に取り付けられる蓋１０であって、容器５の上端部に形成された開口部２の外周縁（フランジ部６）に対して嵌め合わされる嵌合部１５を備えている。
【００２１】
この蓋１０は、例えば、ＰＰなどのバリア性を有する材料を用いて例えば射出成型により形成されており、中央部が略円形状に突出して形成された基体１１を有し、嵌合部１５は、その基体１１の外周部に設けられている。
【００２２】
嵌合部１５は、図２に示すように、基体１１の外周部に、縦断面で逆Ｕ字状をなすように上方へ突設されている。この嵌合部１５は、具体的には、平坦状に形成された上面部１６と、この上面部１６を挟んでともに下方側に垂下して相対する外壁部１７（本願の周壁）及び内壁部１８と、を備えている。内壁部１８は基体１１に連結されており、外壁部１７は基体１１の下端面よりも下方へと延びて形成されている。
【００２３】
また、外壁部１７には、容器５のフランジ部６と嵌合するための内径の異なる２つの嵌合部位が上下に設けられている。また、これら２つの嵌合部位には、内側に突出し、容器５のフランジ部６が係止される上下２つの係止用突起２１、２２が形成されている。
【００２４】
上側の係止用突起２１（本願の第２の嵌合部）は、蓋材７が取り外された容器５に蓋１０を取り付ける際に用いられ、下側の係止用突起２２（本願の第１の嵌合部）は、蓋材７が取り付けられた容器５に蓋１０を取り付ける際に用いられる。
【００２５】
また、蓋材７が取り付けられた状態の開口部の外径Ｄ１は、蓋材７が取り外された状態の開口部の外径Ｄ２よりも大きいため、上側の係止用突起２１の上部内壁２１ａ（上側の嵌合部位に相当）は下側の係止用突起２２の上部内壁２２ａ（下側の嵌合部位に相当）よりも内側に盛り上がるようにして形成されている。
【００２６】
そして、蓋材７が取り付けられた容器５に蓋１０が取り付けられる場合には、図２（ａ）に示すように、蓋材７の上面が基体１１の外周下端面１１ａと当接しつつ、フランジ部６の下側周囲が蓋材７を挟むようにして下側の係止用突起２２に係止され、外壁部１７によってフランジ部６が内側へと押圧されることで、容器５の開口部２に蓋１０が密着して取り付けられる。
【００２７】
一方で、蓋材７が取り外された容器５に蓋１０が取り付けられる場合には、図２（ｂ）に示すように、内側壁１８が容器５の開口部２の内側へと嵌入しつつ、フランジ部６の下側周囲が上側の係止用突起２１に係止される。この内側壁１８が容器内面と密着する為,蓋材７が外された状態でも容器内のバリア性を維持できる。また、このフランジ部６が上面部１６と外壁部１７によって覆われつつ内側へと押圧されることで、容器５の開口部２に蓋１０が密着して取り付けられる。
【００２８】
このように本実施形態の蓋１０によれば、外径の異なる嵌合部位に対応可能な２つの嵌合部位を備えているため、各嵌合部位において、容器５と蓋１０との間に適切な嵌合強度を作り出すことができるので、高い密着性を有して蓋１０を容器５に確実に取り付けることができる。
【００２９】
また、基体１１はバリア性を有しているので、蓋材７が取り外された後の容器５に蓋１０を取り付けた場合に、前記容器本体に収容されている内容物の品質が劣化することを防止できる。なお、バリア性を有していない材料によって基体１１を形成する場合には、別途バリア性を有するシート等を設ければ良い。
【００３０】
次に、本実施形態の蓋１０の嵌合形態の他の実施形態について図３を用いて説明する。なお、本実施形態の蓋１０Ａにおいて、蓋１０と同一の機能を有する部材には同一符号を付し、その説明は省略するものとする。
【００３１】
上記実施形態の蓋１０の嵌合部１５が基体１１の外周部の上方に突出して形成されているのに対して、本実施形態の蓋１０Ａは、平坦状に形成された天板３１の下方に嵌合部１５を形成し、簡易な形状に改善した点で異なる。
【００３２】
本実施形態の蓋１０Ａは、平面視略円形状に形成された天板３１と、この天板３１の周囲に垂下して形成された側壁体３２（本願の周壁）と、を備える。この天板３１には、その外周部に下方に垂下する環状のリブ３３（本願の嵌入体）が設けられている。当該リブ３３は、蓋材７が取り外された容器５に蓋１０Ａを取り付ける際に、当該容器５の開口部内側へと嵌入される。このリブ３３は容器内面と密着する為、蓋材７が外された状態でも容器内のバリア性を維持できる。また、このリブ３３は、蓋材７が取り付けられた容器５に蓋１０Ａを取り付ける際に、当該蓋材７の上面に当接される。
【００３３】
また、この側壁体３２には、容器５のフランジ部６と嵌合する２つの嵌合部位が上下に設けられている。具体的には、内側に突出し、容器５のフランジ部６が係止される上下２つの係止用突起２１、２２が形成されている。
【００３４】
次に、本実施形態の蓋１０の嵌合形態の他の実施形態について図４を用いて説明する。なお、本実施形態の蓋１０Ｂにおいて、蓋１０と同一の機能を有する部材には同一符号を付し、その説明は省略するものとする。
【００３５】
上記実施形態の蓋１０の嵌合部１５が基体１１の一方の側に２つの嵌合部位を設けているのに対して、本実施形態の蓋１０Ｂは、基体４１の表裏面の両側にそれぞれ異なる嵌合部位を設けた点で異なる。
【００３６】
本実施形態の蓋１０Ｂは、平面視略円形状に形成された天板４１と、この天板４１の周囲に上下に垂設された上側壁体４２（本願の周壁）、及び下側壁体４３（本願の周壁）と、を備える。また、この天板４１の表面（上面）には、中央部に平面視で略円形状に突出する突出体４４（本願の嵌入体）が形成されている。この突出体４４の周縁４４ａは、蓋材７が取り外された容器５に蓋１０Ｂを取り付ける際に、当該容器５の開口部２の内側へと嵌入される。また、天板４１の下端面は、蓋材７が取り付けられた容器５に蓋１０Ｂを取り付ける際に、当該蓋材７の上面に当接される。
【００３７】
上側壁体４２及び下側壁体４３には、容器５のフランジ部６と嵌合する嵌合部位がそれぞれ設けられている。具体的には、上側壁体４２には、内側に突出し、容器５のフランジ部６が係止される係止用突起２１が上端部に形成され、下側壁体４３には、内側に突出し、容器５のフランジ部６が係止される係止用突起２２が下端部に形成されている。
【００３８】
この上側壁体４２は、蓋材７が取り外された容器５に蓋１０Ｂを取り付ける際に用いられ、下側壁体４３は、蓋材７が取り付けられた容器５に蓋１０Ｂを取り付ける際に用いられる。
【００３９】
また、蓋材７が取り外された容器５に蓋１０Ｂを取り付ける際に、突出体４４の周縁４４ａは容器内面と密着する為,蓋材７が外された状態でも容器内のバリア性を維持できる。
【００４０】
次に、開閉機構を有する蓋１０Ｃの実施形態について図５を用いて説明する。なお、本実施形態の蓋１０Ｃにおいて、蓋１０Ａと同一の機能を有する部材には同一符号を付し、その説明は省略するものとする。
【００４１】
上記実施形態の蓋１０Ａは、容器５から蓋１０Ａを取り外すことで容器５に収容されている内容物を取り出すことが可能であるのに対して、本実施形態の蓋１０Ｃは、天板３１に大小の開閉用蓋体５３、５４を設け、蓋１０Ｃを容器５から取り外さなくても内容物を取り出すことが可能な点で異なる。
【００４２】
本実施形態の蓋１０Ｃは、平面視略円形状に形成された天板３１と、この天板３１の周囲に垂下して形成された側壁体３２と、を備える。また、この側壁体３２には、容器５のフランジ部６と嵌合する２つの嵌合部位が上下に設けられている。
【００４３】
この天板の前後には、容器５内に収容されている内容物を外部へと取り出すための大小２つの貫通孔３１ａ、３１ｂが形成されており、各貫通孔３１ａ、３１ｂには、ヒンジ部５１、５２を介して基端部を回動可能に連結する蓋板５３、５４が取り付けられている。
【００４４】
蓋板５３、５４には、開閉するためのつまみ５３ａ、５４ａが設けられており、大きい貫通孔３１ａを塞ぐ蓋板５３のつまみ５３ａは、天板３１の外周縁より外側に突出して形成されている。この突出している部分には図示しないスプーンの柄の部分を挿入するための挿入孔５６が形成されており、当該挿入孔５６を用いてスプーンを係止可能となっている。
【００４５】
なお、貫通孔３１ａ、３１ｂは、更に複数設けてもよく、或いは一つの大きなものであっても構わない。また、その形状も種々選択して適用することができる。
【００４６】
なお、以上説明した実施形態は特許請求の範囲にかかる発明を限定するものではない。そして、上記実施形態の中で説明されている構成の組み合わせのすべてが発明の課題解決に必須の手段であるとは限らない。
【００４７】
具体的には、本実施形態では食品容器５に本実施形態の蓋１０〜１０Ｃを適用しているが、洗剤が収容された容器等、必ずしも食品を収容する容器に限られるものではない。また、容器５は本実施形態に示すように紙製に限定されるものではなく、缶容器など、種々の容器に適用することができる。さらに、フランジ部６は、外側へ巻回した形状をしているが、単に外側に折り曲げて形成されてもの等含まれる。また、本実施形態に示す蓋１０Ａのリブ３３は環状に形成されているが、天板３１に不連続（部分的）に設ける形態であっても構わない。さらに、本実施形態の係止用突起２１、２２は環状に形成されているが、外壁部１７に不連続（部分的）に設ける形態であっても構わない。
【００４８】
さらにまた、容器５の全体が平面視において円形状に形成されているが、円形状以外の楕円形状や多角形状などであっても構わないが、この場合、蓋１０〜１０Ｃの外観形状は容器５と同じ形状に形成される。
【符号の説明】
【００４９】
２        開口部
５        容器
６        フランジ部
１０        蓋
１１        基体
１７        外壁部
２１、２２  係止用突起
３２        側壁体
３３        リブ
４２        上側壁体
４３        下側壁体
４４        突出体
【図１】
2014069849.tif 000003
【図２】
2014069849.tif 000004
【図３】
2014069849.tif 000005
【図４】
2014069849.tif 000006
【図５】
2014069849.tif 000007